(57)【要約】【課題】遊技の邪魔にならないように情報表示板を遊技中における遊技者の目の高さに設けることが可能で、遊技者に情報表示板に書かれた関連情報を容易に把握させ、遊技者の遊技への集中化を図る。【解決手段】パネル枠１６が閉じられている状態において、作業者が透過性パネル４の前面に情報表示板１８を取り付けるべき位置に目印を付けた後、パネル枠１６を開いて透過性パネル４をパネル枠１６から引き抜き、上記目印を目安として、関連情報１９の書かれた情報表示板１８を透過性パネル４の裏面に貼り付け、上記目印を透過性パネル４の前面から払拭し、透過性パネル４をパネル枠１６に格納して閉じると、情報表示板１８の関連情報１９が遊技機枠２の前側から透過性パネル４を通してセンター部品１１の周りに配置される。【選択図】        図１
2004174151.tif 000002
【特許請求の範囲】
【請求項１】
遊技機枠に透過性パネルが遊技機枠の内部における遊技盤の遊技領域を遊技機枠の前側から見えるように設けられ、この透過性パネルにパチンコ機の関連情報の書かれた情報表示板が取り付けられるパチンコ機の情報表示装置において、情報表示板が透過性プレートに関連情報の書かれた形態で透過性パネルに貼り付けられることで、情報表示板と遊技盤との間が球の通過可能な隙間として形成されたことを特徴とするパチンコ機の情報表示装置。
【請求項２】
透過性パネルに貼り付けられた情報表示板の関連情報が遊技盤の遊技領域と対応したことを特徴とする請求項１記載のパチンコ機の情報表示装置。
【発明の詳細な説明】
【０００１】
【発明の属する技術分野】
本発明はパチンコ機の取り扱い方、遊技の仕方、広告などのパチンコ機に関する関連情報を表示する装置に関する。
【０００２】
【従来の技術】
従来のパチンコ機の情報表示装置には三角形の情報表示板を遊技盤の前面を覆うガラスのような２重となった透過性パネルの間に挿入し、その情報表示板の上部を一方のガラスの上縁部に取り付けることで、情報表示板が遊技の邪魔にならないようにしたものが知られている（例えば、特許文献１参照）。
【０００３】
【特許文献１】
登録実用新案第３０３２５１４号公報（第１頁、要約、図１）
【０００４】
【発明が解決しようとする課題】
しかしながら、従来例は情報表示板が遊技の邪魔をしないように遊技盤における遊技領域外でパチンコ機の上部に配置されるため、遊技者がパチンコ店の椅子に着座して遊技をする場合、情報表示板が遊技者の目の高さよりもかなり上方となり、遊技者は遊技をしながら情報表示板に書かれた文字、数字、絵柄などの関連情報を把握しづらく、遊技に集中できないという問題点があった。また、情報表示板が遊技盤の遊技領域外である右隅に設けられることも知られているけれども、情報表示板が椅子に着座して遊技を行う遊技者の目の高さよりもかなり下方となり、この場合も上記と同様な不都合があった。
【０００５】
そこで、本発明は、遊技の邪魔にならないように情報表示板を遊技中における遊技者の目の高さに設けることが可能で、遊技者が情報表示板に書かれた関連情報を容易に把握して遊技に集中することができるパチンコ機の情報表示装置を提供するものである。
【０００６】
【課題を解決するための手段】
本発明にあっては、遊技機枠に透過性パネルが遊技機枠の内部における遊技盤の遊技領域を遊技機枠の前側から見えるように設けられ、この透過性パネルにパチンコ機の関連情報の書かれた情報表示板が取り付けられるパチンコ機の情報表示装置において、情報表示板が透過性プレートに関連情報の書かれた形態で透過性パネルに貼り付けられることで、情報表示板と遊技盤との間が球の通過可能な隙間として形成されたことによって、情報表示板が透過性プレートに関連情報の書かれた形態であることから、遊技者が情報表示板と遊技盤との間の隙間を通過する球を見ることができ、情報表示板が遊技の邪魔になることはなく、情報表示板を遊技中における遊技者の目の高さに設けることで、遊技者が関連情報を容易に把握して遊技に集中することができる。また、本発明にあっては、透過性パネルに貼り付けられた情報表示板の関連情報が遊技盤の遊技領域と対応すれば、関連情報が遊技中における遊技者から一層見やすくなる。
【０００７】
【発明の実施の形態】
図１および図２は一実施形態であって、図１はパネル枠１６が開けられた情報表示装置３の外観を示し、図２はパチンコ機１における情報表示装置３の正面を示す。
【０００８】
図２において、パチンコ機１は遊技機枠２の前面に、情報表示装置３、透過性パネル４、表示灯部品５、報知部品６、受皿７、発射操作機構８を備え、内部に図外の発射機構や遊技盤９を備える。遊技盤９は前面である意匠盤面のガイドレール１０で囲まれた内側の遊技領域にセンター部品１１、サイド部品１２、風車１３、入賞部品１４、障害釘や遊技釘と呼ばれる多数本の釘１５を備える。遊技機枠２の裏側又は遊技盤９の裏側に設けられた図外の制御装置が電力供給で起動し、球が受皿７に入れられた状態において、遊技者が発射操作機構８を操作すると、発射機構が受皿７から供給された球を１個ずつ遊技盤９の遊技領域に向けて発射し、その発射された球が遊技領域を飛び交う過程で入賞部品１４に入賞すると、パチンコ機１の裏側から賞球としての球が受皿７に払い出される。
【０００９】
図１を参照し、情報表示装置３について説明する。情報表示装置３の取り付けられる透過性パネル４は例えば２枚であって、それらが前後に隙間を形成するように遊技機枠２の前面にヒンジで前側横方向に片開き可能に取り付けられた額縁状のパネル枠１６に装着された２重構造になっている。パネル枠１６の上縁部１７がヒンジで開閉可能になっており、パネル枠１６が遊技機枠２の前側に片開きされ、上縁部１７が作業者によって開けられた場合、透過性パネル４がパネル枠１６から取り外されたりパネル枠１６に取り付けられたりする。
【００１０】
情報表示装置３は情報表示板１８を備える。情報表示板１８は合成樹脂からなる透過性プレートの前面にパチンコ機１に関する取り扱い方、遊技の仕方、広告などの関連情報１９を表す文字、数字、絵柄などが印刷された形態であって、透過性パネル４に図外の透過性を有する接着剤や貼着剤で貼り付けられる。例えば、関連情報１９を前側の透過性パネル４の裏面に取り付ける場合は、パネル枠１６が図２のように遊技機枠２に対し閉じられている状態において、作業者が前側の透過性パネル４の前面に情報表示板１８を取り付けるべき位置に水性ボールペンのような筆記具で目印を付けておく。情報表示板１８を取り付けるべき位置は例えば、遊技盤９に取り付けられたセンター部品１１とサイド部品１２との間、センター部品１１の斜め上方の釘１５周りである。上記のように目印を付けた後、作業者がパネル枠１６を遊技機枠２の前側に開いてパネル枠１６の上縁部１７を開き、前側の透過性パネル４をパネル枠１６から上方に引き抜くか、引き抜くように上方に位置をずらす。その状態のおいて、作業者が上記目印を目安として、関連情報１９の書かれた情報表示板１８を前側の透過性パネル４の裏面に貼り付ける。その後、作業者が前側の透過性パネル４をパネル枠１６に格納し、上縁部１７を閉じるとともに上記目印を透過性パネル４の前面から払拭する。パネル枠１６が遊技機枠２に対し閉じられることによって、情報表示板１８の関連情報１９が遊技機枠２の前側から透過性パネル４を通してセンター部品１１の周りに配置され、情報表示板１８の裏面と遊技盤９との間は球の通過可能な隙間として形成される。
【００１１】
本実施形態によれば、情報表示装置３では関連情報１９の書かれた情報表示板１８が遊技盤９の遊技領域に設けられたセンター部品１１とサイド部品１２とに対応するように前側の透過性パネル４の裏面に貼り付けられ、情報表示板１８の裏面と遊技盤９との間が球の通過可能な隙間として形成されているので、遊技者が情報表示板１８と遊技盤９との間の隙間を通過する球を見ることができ、情報表示板１８が遊技の邪魔になることもなく、情報表示板１８がセンター部品１１の周囲である遊技中における遊技者の目の高さに設けられているので、遊技者が情報表示板１８に書かれた関連情報１９を容易に把握して遊技に集中することができる。
【００１２】
情報表示板１８は後側の透過性パネル４に貼り付けてもよい。この場合、後側の透過性パネル４に情報表示板１８を取り付けるべき位置として、前記のように前側の透過性パネル４の前面に目印を付ければ、目印の払拭が容易である一方、後側の透過性パネル４に情報表示板１８を貼り付ける際に、前側の透過性パネル４と後側の透過性パネル４とが互いに向き合うように前後で重ね合わせれば、情報表示板１８の貼り付け位置も正確となる。関連情報１９として例えばパチンコ店のその日の営業目標から狙い目などの文字であれば、遊技性が向上する。
【図面の簡単な説明】
【図１】一実施形態に係るパチンコ機の情報表示装置を示す正面図。
【図２】同実施形態の情報表示装置の取付方を示す斜視図。
【符号の説明】
１  パチンコ機
２  遊技機枠
３  情報表示装置
４  透過性パネル
９  遊技盤
１１  センター部品
１８  情報表示板
１９  関連情報
【図１】
2004174151.tif 000003
【図２】
2004174151.tif 000004